Podtech/llm-jp-corpus-v4-ja_patent huggingface dataset:
(57)【要約】      （修正有）【課題】動力システムを改良するとともに、導管の滑道を内蔵式に設置することにより、外付式滑道の変位し滑り易いという欠点を克服可能且つその機能を更に完備可能な導管バルーン式小腸内視鏡を提供する。【解決手段】検出部、正圧支援機２２、ホストコンピュータ１９、ディスプレイ、冷光源１８、急速反応部２１及びプリンタ２０を順次接続して構成される導管バルーン式小腸内視鏡において、検出部を超細主検出鏡と円環状外動力部とにより構成し、超細主検出鏡の外側を円環状外動力部で覆い、円環状外動力部内に４つの滑動可能な導管７を設ける。【選択図】図２
0003166398.tif 000002
【実用新案登録請求の範囲】
【請求項１】
検出部、正圧支援部、ホストコンピュータ、ディスプレイ、光源、急速反応部及びプリンタを順次接続して構成される導管バルーン式小腸内視鏡であって、
前記検出部は、超細主検出鏡と円環状外動力部とにより構成され、
前記超細主検出鏡は、外側を前記円環状外動力部に覆われ、
前記円環状外動力部は、内部に４つの滑動可能な導管を含む
ことを特徴とする導管バルーン式小腸内視鏡。
【請求項２】
前記超細主検出鏡は、細長い円管状であり、その内部に生体組織検査通路と光源入力・画像出力ルートとを有することを特徴とする請求項１記載の導管バルーン式小腸内視鏡。
【請求項３】
前記導管の切断面は１／４に近い円環状であり、該導管の先端は密閉され、前記先端の側壁に開口を有し、該開口部に膨張可能なバルーンを有することを特徴とする請求項１記載の導管バルーン式小腸内視鏡。
【考案の詳細な説明】
【技術分野】
【０００１】
本考案は、医療器具に関し、特に、普通外科及び消化内科に直接応用される医療器具に関する。
【背景技術】
【０００２】
従来、小腸疾病の分野では、小腸疾病に対する診断及び治療について、最も早く出現したのはカプセル内視鏡であるが、その応用は非常に局限的であり、腸内状況を大まかに観察し了解することしかできず、又、腸の疾病を治療するという目的を達成することができない。近年では、日本においてダブルバルーン式小腸内視鏡が発明され、小腸疾病の診断及び治療を基本的に満足させることが可能となったが、当該原理による小腸内視鏡は、腸内で運行する場合の相対変位が短く、操作時間が長くて、バルーンが老化し破裂し易い。導管バルーン式小腸内視鏡は、動物実験を経て動力システムを改良したものであり、現有の導管式小腸鏡の動力システムは、外滑道式構造を採用しており、使用中に不安定であり、変位し滑り易いため、検出不便の原因となっている。
【考案の概要】
【考案が解決しようとする課題】
【０００３】
本考案は、動力システムを改良するとともに、導管の滑道を内蔵式に設置することにより、外付式滑道の変位し滑り易いという欠点を克服可能且つその機能を更に完備可能な導管バルーン式小腸内視鏡を提供することを目的とする。
【０００４】
本考案に係る導管バルーン式小腸内視鏡は、検出部、正圧支援部、ホストコンピュータ、ディスプレイ、光源、急速反応部及びプリンタを順次接続して構成され、検出部は、超細主検出鏡と円環状外動力部とにより構成され、超細主検出鏡は、外側を円環状外動力部に覆われ、円環状外動力部は、内部に４つの滑動可能な導管を含むことを特徴とする。
【０００５】
超細主検出鏡は細長い円管状であり、その内部に生体組織検査通路と光源入力・画像出力ルートとを有する。
【０００６】
導管の切断面は１／４に近い円環状であり、導管の先端は密閉され、先端の側壁に開口を有し、開口部に膨張可能なバルーンを有する。
【考案の効果】
【０００７】
本考案によれば、微創の基礎上に、無創傷医療という新理念が創始され、患者がメスによる手術を受けずとも、一部の腸疾病の手術を完了可能であり、患者の苦痛や経済負担を軽減するとともに、生活品質を高めることが可能となる。又、改良された動力システムは、導管式バルーン小腸内視鏡の機能を完備させるとともに、その構造が簡単であるので、容易に加工製造可能となる。
【図面の簡単な説明】
【０００８】
【図１】本考案の検出部の概略図である。
【図２】本考案の全体平面概略図である。
【図３】本考案の検出部の縦断面を示す概略図である。
【考案を実施するための形態】
【０００９】
以下に、図面を参照して、本考案について詳しく説明する。
【実施例】
【００１０】
図２において、各部分を接続し消毒した後、ホストコンピュータ１９、プリンタ２０、急速反応部２１、正圧支援機２２及び冷光源１８をオンにする。そして、静脈麻酔状態で、口を経て動物体内に検出部を挿し込み、方向制御ボタンにより回転させ、腸の走向に沿って更に小腸内視鏡を押し進める。十二指腸を経て、空腸に入り、多少の距離を経た後、小腸内視鏡を押し進められなくなった場合、１２時と６時に位置する２つの導管７が加圧し始め、１２時と６時のバルーンが膨張して腸壁を押する。操作者が体外で２つの加圧開始の導管を引くと、導管は後方に一定距離移動する。この場合、３時と９時に位置する別の導管が加圧し始め、操作者がそれを先の１２時と６時の作業箇所まで引き、正圧を保つ。この時、先の二つの導管（１２時と６時に位置する導管）が正圧を閉じて、バルーンが縮み、腸壁から離れ、操作者により開始部位に押し進められる。このように、小腸全体の観察及び検出が完成するまで、操作を繰り返す。
【符号の説明】
【００１１】
１    冷光源出力点
２    画像採集ウィンドウ
３    生体組織検査孔
４    ノズル
５    回転部
６    バルーン
７    導管
８    送気・進水孔ボタン
９    吸気・吸水孔ボタン
１０  生体組織検査電気焼灼入口
１１  接眼鏡
１２  外部送気孔
１３  吸気吸水孔
１４  アース孔
１５  排気排水孔
１６  外部冷光源伝入孔
１７  画像情報伝出端
１８  冷光源
１９  ホストコンピュータ
２０  プリンタまたはディスプレイ
２１  急速反応部
２２  正圧支援機
【図１】
0003166398.tif 000003
【図２】
0003166398.tif 000004
【図３】
0003166398.tif 000005
(57)【要約】      （修正有）【課題】極めて多数の組み合わせをすることができ、移動体の移動ルートを難解にでき、変化の富んだ操作を楽しむことができる立体迷路を提供する。【解決手段】数多くの穴配列パターンを有する透明な仕切り板３と床板２を、適宜自由に組み合わせて立体迷路Ａを構成するので、極めて多数の通路の組み合わせをすることができ、これにより移動体の移動ルートを難解にでき、変化の富んだ迷路操作を楽しむことができるとともに、移動体はその形状が単なる球状のボールに限らず立方体や円柱形状のものも使用しているので、より精神を集中させて操作を楽しむことができる。【選択図】図１
0003166349.tif 000002
【実用新案登録請求の範囲】
【請求項１】
少なくとも５種類以上の穴配列パターンを有した複数の透明な材質の仕切り板と床板とで構成され、これらを穴のない透明な材質の箱部に隙間なく挿入して立体に構成し、移動体の通路を構築した立体迷路。
【請求項２】
移動体が立方体、円柱体、球状体、円錐体、直方体等の形状を有する請求項１記載の立体迷路。
【考案の詳細な説明】
【技術分野】
【０００１】  本考案は、複雑に入り組んだ道を抜けて、目的地、ゴールまで辿り着くことを目指すゲーム、パズルとして広く知られている迷路に関し、特に、通路が上下に重なった透明の立体迷路に関する。
【背景技術】
【０００２】  適宜丸穴を開けた透明な仕切板を井桁状にはめ合わせ、それを適宜丸穴を開けた透明な床板と組み合わせ、穴のない透明な壁板で覆って立体に構成し、迷路内部に移動体としてのボールを格納した立体迷路はある。（特許文献１参照）
【先行技術文献】
【特許文献】
【０００３】
【特許文献１】公開実用新案公報平１−１５０９８８号公報
【考案の概要】
【考案が解決しようとする課題】
【０００４】  しかしながら特許文献１記載の立体迷路においては、複数の床板及び複数の仕切り板はそれぞれ最大２パターンの丸穴配列構成の組み合わせとなっており、迷路構成としてはあまり変化に富んでいるとはいえないものである。従って移動体を迷路に沿って案内をする操作においても、割と容易に解明手段を習熟でき、達成感においてもやや物足りないといった点があった。
【課題を解決するための手段】
【０００５】  本考案の立体迷路は、仕切り板と床板とで構成される点は先行技術と同様であるが、仕切り板の穴配列パターンと床板の穴配列パターンを各々少なくとも５種類以上用意し、これらを適宜組み合わせ、穴のない箱本体に隙間なく挿入して立体に構成することによって移動体の通路を構築し、移動体を挿入する穴を備えた蓋部を箱本体に被せたものである。
【考案の効果】
【０００６】  本考案は、一例として、従来技術にはない透明な５種類の穴配列パターンを有する仕切り板と透明な８種類の穴配列パターンを有する床板を、自由多彩に組み合わせて立体迷路を構成することができるため、極めて多数の組み合わせをすることができ、移動体の移動ルートを難解にでき、変化の富んだ操作を楽しむことができるものである。また、蓋部は取り外し自由であるので、仕切り板と床板のパターン変更は極めて容易に行うことができる。
【図面の簡単な説明】
【０００７】
【図１】本考案の立体迷路の一例を示す斜視図である。
【図２】本考案の立体迷路の箱部を示す斜視図である。
【図３】本考案の立体迷路の各種床板を示す斜視図である。
【図４】本考案の立体迷路の各種仕切り板を示す斜視図である。
【図５】本考案の立体迷路の各種移動体を示す斜視図である。
【考案を実施するための形態】
【０００８】  図１は、本考案に係る立体迷路（Ａ）を示しており、（１ａ）は側面と底面を有する透明な材質で構成された箱本体であり、その上部に移動体の入口及び出口を意味する２つの穴を有した蓋部（１ｂ）を、箱本体（１ａ）の上部にぴったり被さるように構成して箱部（１）を形成している。箱部（１）内部には、複数枚の透明材質で構成された仕切り板（３）と床板（２）が配置されている。立体迷路の操作においては、図５に示す移動体（４）を蓋部（１ｂ）の片方の穴から入れて通路を通過させ、最終的に蓋部（１ｂ）のもう一方の穴から排出させれば目的達成となる。
【０００９】  図２は本考案の立体迷路（Ａ）の箱部（１）を示しており、箱部（１）は箱本体（１ａ）と２つの穴を有した蓋部（１ｂ）とで構成されており、蓋部（１ｂ）は箱本体（１ａ）に図示するような嵌着手段にて固定するが、嵌着手段に関してはこれに限らず他の方法、手段によっても差し支えない。また蓋部（１ｂ）の穴の形状は図示した円形に限らず角形状でも良い。
【００１０】  図３は本考案の立体迷路（Ａ）の階層を構成するための床板（２）を示しており、移動体を通過させるための穴配列パターンを変えた床板（２ａ）から床板（２ｇ）までを示しており、本考案では一例として７パターンの穴配列を採用しているが、可能な限りの穴パターンの組み合わせは更にあり、これに限定されることはない。また、穴の形状は図示した円形に限らず角形状でも良い。
【００１１】  図４は本考案の立体迷路（Ａ）の通路を構成するための仕切り板（３）を示し、移動体の通過をさせるための穴配列パターンを変えた仕切り板（３ａ）から仕切り板（３ｅ）までを示しており、本考案では一例として５パターンの穴配列を採用しているが、可能な限りの穴配列パターンの組み合わせは更にあり、これに限定されることはない。各仕切り板（３）はそれぞれに設けた溝部分をかみ合わせて井桁状に組み合わせて配置する。また、穴の形状は図示した円形に限らず角形状でも良い。
【００１２】  図５は本考案の立体迷路（Ａ）に使用する移動体（４）を示しており、一例として立方体（４ａ）、円柱体（４ｂ）、球状体（４ｃ）を図示しているが、その他、円錐体、直方体などの形状でも良い。球状体（４ｃ）以外の形状の移動体は、球状体（４ｃ）がスムーズに迷路の通路や穴を通過する動きとは違って予想外の動きを呈し、より高度なテクニックを必要とされ、手指の繊細な動きも必要とされる。このことで身体的には脳の活性化効果が高くなることが予見される。また、移動体（４）は透明或いは着色透明または不透明でも良い。
【符号の説明】
【００１３】Ａ  立体迷路
１  箱部
１ａ  箱本体
１ｂ  蓋部
２  床板
２ａ〜２ｇ  穴配列パターンを変化させた床板
３  仕切り板
３ａ〜３ｅ  穴配列パターンを変化させた仕切り板
４  移動体
４ａ  立方体の移動体
４ｂ  円柱体の移動体
４ｃ  球状体の移動体
【図１】
0003166349.tif 000003
【図２】
0003166349.tif 000004
【図３】
0003166349.tif 000005
【図４】
0003166349.tif 000006
【図５】
0003166349.tif 000007
(57)【要約】      （修正有）【課題】簡単に少量の失禁に対応出来、使用者の不安を軽減出来るおむつパンツを提供する。【解決手段】木綿ズロース１に木綿タオルおむつ２をクロッチ先端直下縫製部３に縫製する。木綿ズロース１にタオルで作った木綿タオルおむつ２（タオル＝約幅３４センチ×長さ８０センチを長い方を半分に切断し三重にして長方形にタオル縫製部４を縫製しその真中は縫製しない。この様に事前に制作しておく。）を木綿ズロース１にクロッチ先端直下縫製部３に縫製する。木綿タオルおむつ２の先端を木綿ズロース１内部の前みごろのクロッチの先端に重ね、縫い目がクロッチ先端の縫い目より１．５センチ下になる様にクロッチ先端直下縫製部３に縫製する。木綿タオルおむつ２のタオルおむつ後部５は敢えて木綿ズロース１には縫製しない。【選択図】図１
0003166342.tif 000002
【実用新案登録請求の範囲】
【請求項１】
木綿ズロースの内部クロッチ先端直下部に木綿タオルおむつを縫製したことを特徴とする木綿タオルおむつパンツ。
【請求項２】
木綿タオルおむつの先端と木綿ズロースの内部クロッチの先端を重ね合わせ両先端から１．５センチ下がった所を縫製したことを特徴とする請求項１記載の木綿タオルおむつパンツ。
【請求項３】
タオルおむつ後部を敢えて縫製していないことを特徴とする請求項１記載の木綿タオルおむつパンツ。
【考案の詳細な説明】
【技術分野】
【０００１】  この考案は、おむつパンツに関する。
【背景技術】
【０００２】  従来の物は木綿ズロースを使用せず化繊及び紙や化学物質を使用している。
【考案の概要】
【考案が解決しようとする課題】
【０００３】従来の物は化繊及び紙や化学物質を使用している。そこで、この考案は使用するのは木綿ズロース１と木綿タオルおむつ２のみである。そしてグローバルな視点から言えば紙を使用せずエコロジーに貢献でき、地球環境にとっても良い。
【課題を解決するための手段】
【０００４】以上の課題を解決するために、第一考案は、木綿ズロース１内部のクロッチ先端直下縫製部３に木綿タオルおむつ２を縫製することを特徴とするおむつパンツである。
また、第二考案は、木綿タオルおむつ２の先端と木綿ズロース１内部のクロッチの先端を重ね合わせ両先端から１．５センチ下がった所を縫製する。また、第三考案は、タオルおむつ後部５を敢えて縫製しないのは木綿タオルおむつ２に融通性をもたせ、より失禁に対応するためである。
【考案の効果】
【０００５】  第一考案、または第二考案、第三考案によれば、木綿ズロース１内部のクロッチ先端直下縫製部３に木綿タオルおむつ２を取り付けることで、とても簡単に少量の失禁に対応出来、使用者の不安を軽減出来る。そして本件は何度も洗濯出来経済的で化繊の苦手な人に最適である。
【図面の簡単な説明】
【０００６】
【図１】この考案の一実施形態を示す斜視図である。
【図２】木綿タオルおむつを示す斜視図である。
【図３】木綿ズロースを示す斜視図である。
【考案を実施するための形態】
【０００７】この考案の一実施形態を、図１に示す。
木綿ズロース１にタオルで作った木綿タオルおむつ２（タオル＝約幅３４センチ×長さ８０センチを長い方を半分に切断し三重にして長方形にタオル縫製部４を縫製しその真中は縫製しない。この様に事前に制作しておく。）を木綿ズロース１にクロッチ先端直下縫製部３に縫製する。木綿タオルおむつ２の先端を木綿ズロース１内部の前みごろのクロッチの先端に重ね、縫い目がクロッチ先端の縫い目より１．５センチ下になる様にクロッチ先端直下縫製部３に縫製する。木綿タオルおむつ２のタオルおむつ後部５は敢えて木綿ズロース１には縫製しない。
【０００８】「実施形態の効果」この実施形態によれば、クロッチ先端直下縫製部３によって木綿タオルおむつ２が安定し指の細かい動きのできない人も簡単に陰部に木綿タオルおむつ２を沿わせる事が可能である。木綿タオルおむつ２を木綿ズロース１内部のクロッチ先端直下縫製部３に縫製した事により夜間等に木綿タオルおむつ２を便器に落とすことも無い。木綿タオルおむつ２のタオルおむつ後部５は敢えて縫製しないことにより木綿タオルおむつ２の融通が効き陰部に密着するので失禁に対して有効である。木綿タオルおむつ２の真中を縫製しないことにより使用者の不快感も軽減される。木綿タオルおむつ２のタオルおむつ後部５は縫製しないので木綿ズロース１を傷めずに使用できる。
【符号の説明】
【０００９】１  木綿ズロース                ２  木綿タオルおむつ
３  クロッチ先端直下縫製部      ４  タオル縫製部
５  タオルおむつ後部
【図１】
0003166342.tif 000003
【図２】
0003166342.tif 000004
【図３】
0003166342.tif 000005
(57)【要約】      （修正有） 【課題】移動体にも設置することができる風力発電装置を提供する。【解決手段】風力発電用の回転翼を、地面に対して水平に設置し、回転翼の略半分を防風板で覆う。【選択図】図１
0003166294.tif 000002
【実用新案登録請求の範囲】
【請求項１】
風力発電用の回転翼を地面に対して、平行又は角度をつけて設置し、前記回転翼の略１／２を防風板で覆うことを特徴とする風力発電装置。
【請求項２】
風向計を利用して、前記防風板が風向きに対して回転追従可能なように構成したことを特徴とする請求項１に記載の風力発電装置。  
【考案の詳細な説明】
【技術分野】
【０００１】
本考案は、風力発電の羽の取り付け構造に関する。 
【背景技術】
【０００２】
例えば、現在の風力発電の回転翼は、図１の様に地面に対して垂直に取り付けられています。
その為に、設置する時に
・莫大な費用がかかる。
・設置場所が限定される。(特に移動する物体に設置出来ない)
本考案は、図２の様に回転翼を地面に対して水平に設置する事に依り、上記のような欠点を解消する事ができる。
・設置費用が安くできる。
・水平に設置出来るので、同一場所で複数設置で大きな電力を発生できる。
・設置場所が移動体(自動車、汽車、船舶、ビルの屋上、地盤の脆弱な所、等)に対しての、設置にも可能になり利用範囲が、大きく広がる事が想定されます。
【０００３】
特開２００７−２１１６５６の方法とは次の点で技術的に異なります。
・風の方向の不規則さに対応出来ていない。
・ローターの形状が円形の為、風力の全てを利用出来ない。
特開２００８−１８５０２６の方法とは次の点で技術的に異なります。
・移動体(自動車等)に適応出来ても、止まっている時には利用できない。
・移動体は、移動している時間よりも、止まっている時間の方が長い。
風の方向の不規則さに対応出来ない。
【先行技術文献】
【特許文献】
【０００４】
【特許文献１】特開２００７−２１１６５６
【特許文献２】特開２００８−１８５０２６
【考案の概要】
【考案が解決しようとする課題】
【０００５】
現在の、風力発電の回転翼の取り付けは、図１の様に地面に対して垂直である為に、前述した様々な不都合な課題が発生している。
【課題を解決するための手段】
【０００６】
本考案では、風力発電用の回転翼を、地面に対して水平に設置し、前記回転翼の略半分を防風板で覆うことを特徴とする。             
【考案の効果】
【０００７】
本考案は、風力発電用の回転翼を地面に対して水平にする事により、今まで設置不可能であった、例えば、自動車を始めとする移動体、工場やビルディングの屋上、地盤の柔らかい場所等にも、設置することが可能となり、脱炭素社会に向けて大きく前進する。
【図面の簡単な説明】
【０００８】
【図１】従来の風力発電装置の正面及び側面図と本考案の風力発電装置の平面図と側面図
【考案を実施するための形態】
【０００９】
図１に示す様に、地面に対して回転翼を水平に設置するために、回転翼を支える軸と前記軸を垂直に固定する基礎台を設ける。設置場所に依っては多少の角度をつけて基礎台を固定して設置してもよい。
回転翼を周囲であって略１／２の範囲を覆うように、防風板を設けて回転翼を保護する。
風の吹く方向は一定ではない為、風向に対して防風板が追従可能なように、風向計等を利用して、防風板が回転追従可能なように構成する。
【００１０】
本考案は、回転翼を地面に対して垂直に設置する事に関しては、既に利用実績がありその回転翼を水平にするだけなので、技術的には可能と思われます。
又、移動体への取り付けに関しましては、社会的要求度から考慮すれば設置は、可能と判断致します。              
【産業上の利用可能性】
【００１１】
本考案の風力発電装置は、工業生産が可能であり、本発電機を用いて電力供給等も可能であり、電力業界での利用も可能である。
【符号の説明】
【００１２】
１−１  従来のローター   
２−１  本考案のローター
２−２  防風板
【図１】
0003166294.tif 000003
(57)【要約】      （修正有）【課題】複数の電流変換器を備えることで、同時に複数のＬＥＤ電球を駆動できるＬＥＤ分離式スイッチング電源セットを提供する。【解決手段】分電箱１２と、分電箱内に設置された複数個の電流変換器１４を含み、各電流変換器はＬＥＤ電球セット１６と接続し、且つこのＬＥＤ電球セットは複数個の並列のＬＥＤ電球から構成され、電流変換器は交流電圧を直流電圧に変換し、複数個のＬＥＤ電球セットを駆動する。【選択図】図１
0003166229.tif 000002
【実用新案登録請求の範囲】
【請求項１】
分電箱と、
複数の電流変換器であり、前記分電箱内に設置され、各前記電流変換器が１つのＬＥＤ電球セットに接続し、交流電圧を直流電圧に変換して、前記ＬＥＤ電球セットを駆動する複数の電流変換器と、
を含むことを特徴とするＬＥＤ分離式スイッチング電源セット。
【請求項２】
前記ＬＥＤ電球セットは並列方式で接続したＬＥＤ電球を複数個含むことを特徴とする、請求項１に記載のＬＥＤ分離式スイッチング電源セット。
【請求項３】
前記ＬＥＤ電球は球状のＬＥＤ電球であることを特徴とする、請求項２に記載のＬＥＤ分離式スイッチング電源セット。
【請求項４】
前記ＬＥＤ電球セットは３〜５個の異なる出力の球状ＬＥＤ電球を含むＬＥＤことを特徴とする、請求項２に記載のＬＥＤ分離式スイッチング電源セット。
【考案の詳細な説明】
【技術分野】
【０００１】
本考案はＬＥＤスイッチング電源に関するものであって、特に変電ボックスの既存のサイズに合うＬＥＤ分離式スイッチング電源セットに関するものである。
【背景技術】
【０００２】
エネルギー資源が急速に消費され枯渇しそうになるにつれて、各種日常生活用品のエネルギー消費をどのように削減するかは、全人類が直面する重大な課題になっている。照明器具の分野では、ＬＥＤは、それ自体の光学的特性による多くの長所を備えている。例えば、非常に長い使用寿命、極めて低い消費電力、冷光の有する安全防火効果、無騒音、紫外線放射等がその長所であり、ＬＥＤ照明器具が既存の照明器具に取って代わるのは逆らえない傾向である。
【０００３】
現在ＬＥＤ電球の電源設置は、内蔵式電源と外付け式電源の２種類に分けられる。内蔵式電源とは、電源装置を電球内に設けるもので、その利点はもとからある電球と直接交換でき、回路を何ら変更する必要がない。
しかし、電源装置を電球内に設ける形態を採っているため、電源素子から生じる熱エネルギーがＬＥＤ電球内に入り、電球全体の温度を上昇させ、ＬＥＤ電球の寿命が短くなってしまう。これに比べて、外付け式電源方式の方が優れており、現在の市場に出回っている外付け式電源は一対一方式を実施している。つまり、単一の電源素子が１つのＬＥＤ電球を駆動するものであるが、このような方式ではＬＥＤ電球の取り付けや交換に不便である。
【考案の概要】
【考案が解決しようとする課題】
【０００４】
これらの点を考慮し、上述した公知技術の欠点に対して、本考案は上述の問題点を克服するのに有効な新しいＬＥＤ分離式スイッチング電源セットを提案する。本考案の主な目的は、同時に複数のＬＥＤ電球を駆動でき、公知の外付け式電源が単一のＬＥＤ電球しか駆動できないという欠点を改善するＬＥＤ分離式スイッチング電源セットを提供することである。
【０００５】
本考案のもう１つの目的は、全体のサイズが市販の変電ボックスの規格に合い、取り付けに便利なＬＥＤ分離式スイッチング電源セットを提供することである。
【課題を解決するための手段】
【０００６】
上述の目的を達成するため、本考案が提案するＬＥＤ分離式スイッチング電源セットは、分電箱と、分電箱内に設けられた複数の電流変換器を含み、各電流変換器は１つのＬＥＤ電球セットに接続され、交流電圧を直流電圧に変換し、ＬＥＤ電球セットを駆動する。
【考案の効果】
【０００７】
本考案の提案する新しいＬＥＤ分離式スイッチング電源セットは以下の利点を有する。
１：同時に複数のＬＥＤ電球を駆動でき、公知の外付け式電源が１つのＬＥＤ電球しか駆動できないという欠点を改善できる。
２：全体のサイズが市販の変電ボックスの規格に合い、取り付けに便利である。
【図面の簡単な説明】
【０００８】
【図１】本考案のＬＥＤ分離式スイッチング電源セットのブロック図。
【図２】本考案のＬＥＤ分離式スイッチング電源セットの回路図。
【考案を実施するための形態】
【０００９】
本考案の構造特徴と達成される効果の更なる理解と認識のため、図面を参照しながら好ましい実施例を挙げて以下に詳細を説明する。
【実施例】
【００１０】
本考案は、公知のＬＥＤ電球の外付け式電源を採用するとき、１つのＬＥＤ電球しか駆動できないという欠点に対して、複数のＬＥＤ電球の同時駆動が達成できる新しいＬＥＤ分離式スイッチング電源セットを提案する。
以下に例を挙げて説明するので、図１と図２を参照されたい。
図１は本考案のＬＥＤ分離式スイッチング電源セットのブロック図である。図２は本考案のＬＥＤ分離式スイッチング電源セットの回路構造を示す図である。
【００１１】
図に示すように、本考案のＬＥＤ分離式スイッチング電源セット１０は、現市場の既存の分電箱のサイズと一致するサイズの分電箱１２を含む。また、分電箱１２内に設置される複数の電流変換器１４を含み、各電流変換器１４は１つのＬＥＤ電球セット１６に接続し、交流電圧を直流電圧に変換して、ＬＥＤ電球セット１６を駆動する。上述のＬＥＤ電球セット１６は、並列方式で接続された複数のＬＥＤ電球を含み、これらのＬＥＤ電球は球状のＬＥＤ電球であり、出力が必ずしも完全に同じでなくてよい。
【００１２】
例えば、実施時において、商用電源供給端１８が提供するのが２２０ボルトの交流電気の時、上述の分電箱１２内には５つの電流変換器１４を設置でき、各電流変換器１４は１８ワットの直流電気を提供できるので、各電流変換器１４は５つの３ワット球状ＬＥＤ電球或いは３つの５ワット球状ＬＥＤ電球を駆動できる。
【００１３】
このようにして本考案は、電源アダプタを利用して同時に複数のＬＥＤ電球を駆動でき、公知の外付け式電源のＬＥＤが１つのＬＥＤしか駆動できないという欠点を有効に解決できる。
【００１４】
また、本考案が使用する分電箱のサイズと現在市場にある既存の分電箱のサイズは一致するため、使用時の取り付けや交換に更に便利である。
【００１５】
上述では本考案の好ましい実施例を開示したに過ぎず、本考案の実施範囲を限定するものではない。従って、本考案の精神と領域を脱しない範囲内で加えた形状、構造、特徴など各種の変更や潤色は全て、本考案の実用新案登録請求の範囲内に含まれる。
【符号の説明】
【００１６】
１０  ＬＥＤ分離式スイッチング電源セット
１２  分電箱
１４  電流変換器
１６  ＬＥＤ電球セット
１８  商用電源供給端
【図１】
0003166229.tif 000003
【図２】
0003166229.tif 000004
(57)【要約】      （修正有）【課題】傘骨の品質を向上させ、品質の安定性と使用寿命を高めることが可能な傘骨構造を提供する。【解決手段】中棒１と、上ろくろ２と、下ろくろ３とを備える。上ろくろは、中棒の頂端部に設けられ、下ろくろは、中棒に被せて設けられる。上ろくろの周辺には親骨４が設けられ、下ろくろの上部周辺には受け骨５が設けられる。中棒の上ろくろの下方には上はじき６が設けられる。下ろくろの下部には、はじき溝が設けられ、はじき溝の中棒軸線と平行の両辺には凸縁が設けられる。二つの凸縁の間には、押しボタンが設けられる。二つの凸縁にはピンホールが設けられ、ピンホールの内部には固定ピンが設けられ、押しボタンには、押しボタンを固定ピンに対して垂直に動かすことを可能にする孔が設けられる。また、下ろくろの上端には管状体が設けられる。【選択図】図１
0003166225.tif 000002
【実用新案登録請求の範囲】
【請求項１】
中棒と、上ろくろと、下ろくろとを備え、上ろくろは中棒の頂端部に設けられ、下ろくろは、中棒に被せて設けられ、上ろくろの周辺には親骨が設けられ、下ろくろの上部周辺には受け骨が設けられ、中棒の上ろくろの下方には上はじきが設けられ、下ろくろの下部には、はじき溝が設けられ、はじき溝の中棒軸線と平行の両辺には凸縁が設けられ、二つの凸縁の間には押しボタンが設けられることによってなる傘骨構造であって、
その特徴は、二つの凸縁にピンホールが設けられ、ピンホール内部に固定ピンが設けられ、押しボタンには、押しボタンを固定ピンに対して垂直に動かすことを可能にする孔が設けられることを特徴とする、傘骨構造。
【請求項２】
前記下ろくろの上端には管状体が設けられることを特徴とする、請求項１に記載の傘骨構造。
【考案の詳細な説明】
【技術分野】
【０００１】
本考案は傘骨構造に関し、特に傘骨の下ろくろの構造に関する。
【背景技術】
【０００２】
一般的な傘骨構造は、中棒、上ろくろと、下ろくろを備えている。上ろくろは、中棒の頂端部に設けられ、下ろくろは中棒に被せて設けられる。上ろくろの周辺には親骨が設けられ、下ろくろ上部の周辺には受け骨が設けられる。中棒の上ろくろの下方には上はじきが設けられ、下ろくろの下部には、はじき溝が設けられる。はじき溝の中棒軸線と平行の両辺には凸縁が設けられる。二つの凸縁の間には、押しボタンが設けられ、ボタンの両側面には突起が設けられる。二つの凸縁には、突起を動かす孔が設けられる。この構造は、押しボタンの突起が小さく、突起と押しボタンの連結箇所の内部応力が大きいため、強度が低く、断裂しやすい。しかも、取り付けの時に、押しボタンと突起を押しつけ、弾性を利用して孔内に取り付けることになる。このような方法だと、押しボタンを取り付ける際、品質に瑕疵が生じることがあるが、その場で対応することはできず、製品が販売された後に返品されることになる。従って、従来の技術は改善が必要である。
【考案の概要】
【考案が解決しようとする課題】
【０００３】
そこで、本考案は、傘骨の品質を向上させ、品質の安定性と使用寿命を高めることが可能な傘骨構造を提供することを目的とする。
【課題を解決するための手段】
【０００４】
上述の目的を達成するために、本考案による傘骨構造は、中棒と、上ろくろと、下ろくろとを備える。上ろくろは、中棒の頂端部に設けられ、下ろくろは、中棒に被せて設けられる。上ろくろの周辺には親骨が設けられ、下ろくろの上部周辺には受け骨が設けられる。中棒の上ろくろの下方には上はじきが設けられる。下ろくろの下部には、はじき溝が設けられ、はじき溝の中棒軸線と平行の両辺には凸縁が設けられる。二つの凸縁の間には、押しボタンが設けられる。二つの凸縁にはピンホールが設けられ、ピンホールの内部には固定ピンが設けられ、押しボタンには、押しボタンを固定ピンに対して垂直に動かすことを可能にする孔が設けられる。また、下ろくろの上端には管状体が設けられる。
【考案の効果】
【０００５】
本考案は、下ろくろの二つの凸縁に固定ピンが設けられ、押しボタンは固定ピンに移動可能に設けられており、固定ピンは二つの凸縁の孔内に取り付けられているため、固定ピンの内部応力が小さく、強度が高く、断裂しにくい。このため、傘骨の品質と品質の安定性と使用寿命を高めることができる。
【０００６】
本考案は、下ろくろの上端に管状体を設けることにより、下ろくろを上方向に押し上げる時、下ろくろと上ろくろの距離を制御しやすく、はじき溝を上はじきに正確に係合させることができる。
【図面の簡単な説明】
【０００７】
【図１】本考案の構造を示した説明図である。
【図２】本考案の下ろくろの構造を示した正面図である。
【図３】押しボタンを除いた状態の本考案を左から見た状態を示した説明図である。
【考案を実施するための形態】
【０００８】
図１、図２、図３を参照する。本考案による傘骨構造は、中棒１と、上ろくろ２と、下ろくろ３とによって構成する。上ろくろ２は、中棒の頂端部に設けられ、下ろくろ３は、中棒上に被せて設けられる。上ろくろ２の周辺には親骨４が設けられ、下ろくろの上部周辺には受け骨５が設けられる。中棒１の上ろくろ下方には上はじき６が設けられる。下ろくろ３の下部には、はじき溝７が設けられ、はじき溝７の中棒軸線と平行の両辺には凸縁８が設けられる。二つの凸縁の間には押しボタン９が設けられる。二つの凸縁上にはピンホール１０が設けられ、その内部には固定ピン１１が設けられる。押しボタン上には孔１２が設けられ、それにより、押しボタンは固定ピンに対して直線に動く。下ろくろの上端には管状体が設けられ、管状体は下ろくろと一体である。
【０００９】
この構造は、傘を開きたい場合、下ろくろを上方へと押し上げ、下ろくろのはじき溝をはじきに係合させる。下ろくろを上方向に押し上げる時、下ろくろのはじき溝が上はじきを超えて上ろくろの下端まで達してしまって傘骨を破壊するのを、管状体によって防ぐことができる。傘を閉じる場合は、押しボタンを下へ押すと、はじき溝が上はじきから外れる。傘を開閉する際、押しボタンは頻繁に動かされるが、下ろくろの二つの凸縁に固定ピンが設けられ、押しボタンは固定ピンに移動可能に設けられているため、また、固定ピンは二つの凸縁の孔内に取り付けられているため、固定ピンの内部応力が小さく、強度が高く、断裂しにくい。このため、傘骨の品質を高めることができ、同時に、品質の安定性と使用寿命をともに高めることができる。
【符号の説明】
【００１０】
１      中棒                  
２      上ろくろ        
３      下ろくろ
４      親骨              
５      受け骨      
６      上はじき
７      はじき溝                
８      凸縁              
９      押しボタン
１０    ピンホール            
１１    固定ピン            
【図１】
0003166225.tif 000003
【図２】
0003166225.tif 000004
【図３】
0003166225.tif 000005
(57)【要約】【課題】扱い易く視認性の高い目印付き釣糸の提供【解決手段】目印付き釣糸１０は、釣糸１１に目印２０が取り付けられている。この目印付き釣糸１０は、釣糸１１に通されたチューブ１２と、チューブ１２と釣糸１１の隙間に圧縮された状態で通された目印素材１３とを備えている。そして、目印素材１３とチューブ１２と釣糸１１の相互に生じる摩擦力によって、目印素材１３の位置が釣糸１１に対して保持される。また、目印素材１３の位置を変更するのも容易である。【選択図】図１
0003166272.tif 000002
【実用新案登録請求の範囲】
【請求項１】
釣糸に目印が取り付けられた目印付き釣糸であって、
前記釣糸に通されたチューブと、
前記チューブと前記釣糸の隙間に圧縮された状態で通された目印素材とを備えた、目印付き釣糸。
【請求項２】
前記目印素材は撥水加工されている、請求項１に記載された目印付き釣糸。
【請求項３】
前記目印素材は塗料で着色されている、請求項１又は２に記載された目印付き釣糸。
【請求項４】
前記塗料は蛍光塗料である、請求項３に記載された目印付き釣糸。
【請求項５】
前記目印素材は伸縮性のある糸を編んだ編み物である、請求項１から４までの何れか一項に記載された目印付き釣糸。
【請求項６】
前記目印素材はスポンジである、請求項１から４までの何れか一項に記載された目印付き釣糸。
【請求項７】
前記チューブを着色した、請求項１から６までの何れか一項に記載された目印付き釣糸。
【考案の詳細な説明】
【技術分野】
【０００１】
本考案は目印付き釣糸に関する。
【背景技術】
【０００２】
釣糸に付けられる目印については、例えば、特開平１０−６６４９０号に開示されている。同公報では、帯状の蛍光色の発泡樹脂を道糸に結んでも邪魔にならない程度の幅の帯状とした目印が開示されている。
【先行技術文献】
【特許文献】
【０００３】
【特許文献１】特開平１０−６６４９０号公報
【考案の概要】
【考案が解決しようとする課題】
【０００４】
帯状の発泡樹脂を道糸に結ぶ手法では、目印の結ぶ人の力加減などで決まってしまう。帯状の発泡樹脂の結びが緩いと、釣りをしている最中に位置が変わってしまい、目印としての機能を果たさない場合もある。また帯状の発泡樹脂の結びが強すぎると目印の位置を変えたいときに容易に動かし難いなどの問題がある。
【課題を解決するための手段】
【０００５】
本考案に係る目印付き釣糸は、釣糸に目印が取り付けられた目印付き釣糸であって、釣糸に通されたチューブと、チューブと釣糸の隙間に圧縮された状態で通された目印素材とを備えている。
【考案の効果】
【０００６】
この目印付き釣糸によれば、目印となる目印素材が、釣糸に通されたチューブと釣糸との隙間に圧縮された状態で通されており、目印素材とチューブと釣糸の相互に適度な摩擦力が生じる。この摩擦力によって目印は釣糸に対して位置が維持される。
【図面の簡単な説明】
【０００７】
【図１】本考案の一実施形態に係る目印付き釣糸を示す斜視図。
【図２】本考案の一実施形態に係る目印付き釣糸の分解図。
【考案を実施するための形態】
【０００８】
以下、本考案の一実施形態に係る目印付き釣糸を図面に基づいて説明する。
【０００９】
この目印付き釣糸１０は、図１に示すように、釣糸１１に目印２０が取り付けられた目印付き釣糸である。この目印付き釣糸１０は、図２に示すように、釣糸１１と、釣糸１１に通されたチューブ１２と、目印となる目印素材１３とを備えている。
【００１０】
この実施形態では、目印素材１３には、伸縮性を有するひも状（もしくは帯状）の素材が用いられている。かかる目印素材１３には、伸縮性のある糸を編んだ編み物や、伸縮性を有するひも状（もしくは帯状）のスポンジなどを用いることができる。この実施形態では、目印素材１３は、水が浸み込まないように、撥水加工が施されている。さらに、目印素材１３は、視認性を向上させるため、塗料で着色されている。この実施形態では、目印素材１３の視認性を向上させるべく、塗料として蛍光色の蛍光塗料が選択されている。また、視認性をさらに向上させるため、チューブ１２を着色してもよい。この場合、チューブ１２と目印素材１３の色のコントラストで目印２０の視認性を向上させてもよい。
【００１１】
目印素材１３は、チューブ１２と釣糸１１の隙間に圧縮された状態で通されている。この目印付き釣糸１０は、目印素材１３とチューブ１２と釣糸１１の相互に摩擦力が生じる。そして、当該摩擦力によって目印素材１３が釣糸１１に対して位置が保持される。この目印付き釣糸１０は、目印素材１３とチューブ１２と釣糸１１の相互に生じる摩擦力によって、適度な力で目印素材１３が釣糸１１に対して位置が保持されている。このため、釣りの最中に目印の位置がずれるのを防止できる。
【００１２】
この目印付き釣糸１０は、釣糸１１に対して目印素材１３が当たっており、釣糸１１を傷つけることがない。なお、チューブ１２の内径を細くしたり、太い目印素材１３を用いたり、また、チューブ１２の長さを変更することによって、目印素材１３とチューブ１２と釣糸１１の相互に生じる摩擦力を調整することができる。このため、用途や釣糸１１の太さなどに応じて、適宜にチューブ１２の内径や目印素材１３の太さを調整するとよい。この目印付き釣糸１０は、釣りの最中に目印の位置が変わるのは防止されているが、釣り人はチューブ１２を摘んで釣糸１１に対してチューブ１２の位置を変えることによって、目印２０の位置を容易に変えることができる。
【００１３】
チューブ１２には、例えば、ナイロン製やビニール製のチューブを用いることができる。チューブ１２の材料は、釣糸１１に触れても釣糸１１を傷つけない程度の柔軟性や、重さや耐候性などを考慮して適宜選択するとよい。また、目印素材１３には、例えば、ナイロンやポリウレタンなどの合成樹脂素材を用いることができる。また、目印素材１３に編み糸を用いる場合には、ストッキングなどに用いられる伸縮性がある編み糸を用いることができる。目印素材１３は、ひも状若しくは帯状のものを用いるとよい。この場合、一端に糸やワイヤーなどを繋げてチューブ１２に通すと簡単に通すことができる。また、目印素材１３はひも状若しくは帯状のものに限定されず、例えば、シート状でもよい。また、チューブ１２からはみ出た部分は必要に応じて適宜に切り取ってもよい。上述した目印２０は釣糸１１に複数取り付けることができる。
【００１４】
以上、本考案の一実施形態に係る目印付き釣糸を説明したが、本考案に係る目印付き釣糸は、上述した実施形態に限定されず、種々の変更が可能である。
【符号の説明】
【００１５】
１０    目印付き釣糸
１１    釣糸
１２    チューブ
１３    目印素材
２０    目印
【図１】
0003166272.tif 000003
【図２】
0003166272.tif 000004
(57)【要約】      （修正有）【課題】鉄檻でなく野獣の通路脇の台上に餌を置いて野獣をさそい極至近距離で射殺する野獣射殺装置を提供する。【解決手段】野獣を通路脇の台の上に置いた餌で誘い昼、夜を問わず餌を食べる瞬間を至近距離からスプリングの力で金属製の矢を発射し野獣の喉叉は胸に打ち込み野獣を射殺する。鉄檻の中の餌は野獣も敬遠するが通路脇の台の上に有る餌は警戒はしても見過ごす事は少ない、餌が台の奥に有れば野獣の喉と銃口は接する位の位置で野獣が餌を取り上げた瞬間矢が発射される様になり射止める確率は１００パーセントである。設備は簡単で費用も安価で移動にも適している。【選択図】図１
0003166647.tif 000002
【実用新案登録請求の範囲】
【請求項１】
スプリングの力で金属製の矢が飛び出す装置で銃口先端部の上に野獣の餌台をもうけ野獣が餌を取り上げた瞬間にスプリングの留め金が自動的にはずれ餌台の下の銃口から矢を野獣の喉、叉は胸に打ち込み野獣を射殺する事を特徴とする野獣射殺装置。
【考案の詳細な説明】
【技術分野】
【０００１】    本考案は、無人の果樹園、田畑を荒らす野獣の捕獲叉射殺に関するものである。
【背景技術】
【０００２】    従来無人の田畑で果樹、野菜を荒らす野獣の撃退に光り、音などによる威嚇撃退、叉は侵入を阻止する為に周囲に電線（高電圧）を張り巡らす方法が取られているが威嚇では野獣に危害がない事を知ると効果はなくなる。叉電線（高電圧）は効果は有るが設備費が高く全域に設置するのは困難であり被害は増加傾向にある。
捕獲については銃による射殺、叉罠（鉄製の檻の中に餌を入れ野獣がはいると扉が閉る）も設置されているが鉄檻の中にある餌に誘われる野獣は少ない。
叉従来から野獣の通路に仕掛ける野獣の足を挟む罠もあったが余り活用されていない様で野獣の個体数は増加の傾向にある。
【先行技術文献】
【０００３】
【特許文献】
【特許文献】  特明  ３２９８１号
【考案の概要】
【考案が解決しようとする課題】
【０００４】    個体数を減らすには射殺以外方法はない。本考案は鉄檻でなく野獣の通路脇の台上に餌を置いて野獣をさそい極至近距離で射殺しようとするものである。
【課題を解決しようとする手段】
【０００５】    本考案は遠方から銃等による射殺でなく至近距離からスプリングの力による金属製の矢を野獣の喉叉は胸に打ち込み射殺する方法である。
これは路上に等しい通路わきに餌を置くがその下には矢を放つ銃口があり野獣が餌をたべようと餌を取り上げた瞬間、本装置の機構で矢が自動的に発射される様にしたものである。
【考案の効果】
【０００６】  上記の如く鉄檻の中の餌は野獣も敬遠するが通路脇の台の上に有る餌は警戒はしても見過ごす事は少ない、餌が台の奥に有れば野獣の喉と銃口は接する位の位置で野獣が餌を取り上げた瞬間矢が発射される様になり射止める確率は１００パアセントである。
設備は簡単で費用も安価で移動にも適している。
但しその場で倒れる野獣は少ないのではないか、逃げて後山奥で死ぬものと考える。
【図面の簡単な説明】
【０００７】
【図１】  本装置の実施例を示す側面図である
【図２】  本装置の正面図
【考案を実施するための形態】
【０００８】  本考案は出没すると思はれる野獣（狸、猪、鹿等、）に合った寸法にする必要がある。餌台の高さ、銃口から飛び出す矢の長さは重要である。機構については特に変る必要はない。  周囲の雰囲気についてはそれぞれ工夫が必要である。
【実施例】
【０００９】、野獣が来るであろう場所を選定し野獣が餌を取りやすいように周囲の雰囲気を考えて装置を設置し餌台１、に餌８，をセットし餌押さえ金具３、で餌をおさえ後ろに回り、スプリング４、をスプリング留め金７、にセットし準備完了となる。
夜になり野獣が現れ餌を取り上げた瞬間餌押さえ金具３、から連結棒６、をとおってスプリング留め金７、が外れ矢９、が飛び出す。その時間は０，１−０，２秒くらいで野獣が逃げる余裕はない。
【産業上の利用可能性】
【００１０】  上記の通り夜行性の野獣を昼間犬を使って行う狩猟よりも夜の行動時に餌でさそい射殺出来る本装置が劣るとは考えられない。実用上至便である。
【符号の説明】
【００１１】１      餌台
２      装置本体
３      餌押さえ金具
４      スプリング
５      矢
６      連結棒
７      スプリング止め金
８      餌
９      銃口
【図１】
0003166647.tif 000003
【図２】
0003166647.tif 000004
【手続補正書】
【提出日】平成22年12月16日(2010.12.16)
【手続補正１】
【補正対象書類名】実用新案登録請求の範囲
【補正対象項目名】請求項１
【補正方法】変更
【補正の内容】
【請求項１】
スプリングの力で銃口から金属製の矢が飛び出す装置で銃口先端部の上に野獣の餌台をもうけ野獣が餌を取り上げた瞬間にスプリングの留め金が自動的に外れ餌台の下の銃口から矢を野獣の喉、叉は胸に打ち込み野獣を射殺する事を特徴とする野獣射殺装置
(57)【要約】      （修正有）【課題】お墓の花がカラス等に荒らされるのを防止するお墓の花散乱防止具を提供する。【解決手段】墓の花筒の中に、生花とともに束ねて挿入される花散乱防止具であって、金属製の軸及び頭部からなる物で、重さは２００〜７００ｇ、頭部は花を模した形状で光を反射し、軸に径が拡がった生花固定部が２か所ある。【選択図】図１
0003166645.tif 000002
【実用新案登録請求の範囲】
【請求項１】
墓の花筒の中に、生花とともに挿入される花散乱防止具であって、金属製。軸及び頭部からなる物で、重さは２００〜７００ｇ、頭部は花を模した形状で光を反射する、花散乱防止具。
【請求項２】
軸に径が拡がった生花固定部が２か所ある、請求項１記載の花散乱防止具。
【請求項３】
下側の生花固定部に切り欠きを有する請求項２の花散乱防止具。
【考案の詳細な説明】
【技術分野】
【０００１】
本考案は、お墓の花がカラス等により荒らされるのを防止する為、カラス等の嫌がる光の反射と重さを加えた道具に関するものである。
【背景技術】
【０００２】
従来は、風に飛びにくいお墓用造花というものがあったが、カラス等から、お墓の生の花を守る道具は無かった。
【先行技術文献】
【特許文献】
【０００３】
【特許文献１】特開２００２−１６１６５１号公報
【考案の概要】
【考案が解決しようとする課題】
【０００４】
解決しようとする問題点は、お墓の花等が供えられた直後から、カラス等により抜き捨てられ、散乱している。本考案は、この課題を解消する為になされたものである。
【課題を解決するための手段】
【０００５】
本考案は、金属製の軸及び頭部からなる物で、重さ２００〜７００ｇ、頭部は花を模した形状で光を反射する花散乱防止具。その時軸に径が拡がった生花固定部が２か所あり又、下側の生花固定具に切り欠きを有する。金属はステンレスや鋳造メッキが考えられる。形状頭部を花とし、墓前に違和感の無いものを特徴とする。
【考案の効果】
【０００６】
本考案は、通常のお花と共に立てることにより、その重量でカラス等がお花を抜き去ることは出来ず又、本考案での光の反射や動きによりカラス等が近寄りにくくなり、お供え物への被害も減少するという利点がある。
【図面の簡単な説明】
【０００７】
【図１】図１は本考案の頭部分が造花形状の平面図である。
【図２】図２は本考案の下側の生花固定具部分の断面図である。
【図３】図３は本考案の使用時の図である。
【図４】図４は本考案の使用時の束ねた時の図である。
【考案を実施するための形態】
【０００８】
生花を供える際、通常の花に本考案を一本加え、一緒に束ねたものを花筒に入れる。束ねる部位は軸部分の二箇所の径が拡がった部分を生花固定部とした。この間で縛ることにより生花から外れにくくなる。また束ねた後からでも差し込み易いように、下側の生花固定部に切り欠きを設けた。重さは、カラスが引き抜けな重さではあっても、あまり重いものは使用しにくいので、２００〜７００ｇとした。
【実施例１】
【０００９】
図１は、本考案の頭部分が造花形状の平面図であって、これは蓮の型である。その他には菊やゆりなども考えられる。
【００１０】
図２は、本考案の軸部分の断面図である。軸の側面を削り、束ねた後の生花にも差込易いようにしてある。
【００１１】
図３は、本考案を生花と共に束ね使用する時の図である。
【００１２】
図４は、本考案を束ねた時の軸部分の図である。
【産業上の利用可能性】
【００１３】
本考案は、広く家庭において、お盆やお彼岸等の墓参の際に利用される。
【符号の説明】
【００１４】
１    本考案の軸部分
２    本考案の頭部分
３    生花
４    本考案具
５    花筒
６    上側の生花固定部
７    下側の生花固定部
８    下側の生花固定部の切り欠き部
９    上下の生花固定部で束ねた様子
【図１】
0003166645.tif 000003
【図２】
0003166645.tif 000004
【図３】
0003166645.tif 000005
【図４】
0003166645.tif 000006
【手続補正書】
【提出日】平成23年1月6日(2011.1.6)
【手続補正１】
【補正対象書類名】実用新案登録請求の範囲
【補正対象項目名】全文
【補正方法】変更
【補正の内容】
【実用新案登録請求の範囲】
【請求項１】
墓の花筒の中に、生花とともに束ねて挿入される花散乱防止具であって、金属製の軸及び頭部からなる物で、重さは２００〜７００ｇ、頭部は花を模した形状で光を反射し、軸に径が拡がった生花固定部が２か所あるお墓の花散乱防止具。
【請求項２】
下側の生花固定部に切り欠きを有する請求項１記載のお墓の花散乱防止具。
【手続補正２】
【補正対象書類名】図面
【補正対象項目名】図４
【補正方法】変更
【補正の内容】
【図４】
0003166645.tif 000007